(57)【要約】  ビデオ品質のユーザ体験値を評価するための方法、デバイス、及びシステムが提供される。アップリンクパケットに対応するダウンリンクパケットを分析することによって、ユーザ体験値のより総合的な評価が取得され、より現実的かつ正確なユーザ体験値が提供される。方法は、ＯＴＴビデオの視聴を要求するユーザ機器のアップリンクパケットを取得するステップと、アップリンクパケットに対応するダウンリンクパケットを取得するステップと、ダウンリンクパケットをバッファするステップと、バッファしたダウンリンクパケットが分析条件を満たす場合、バッファしたダウンリンクパケット中のＯＴＴビデオを分析してユーザ体験値を生成するステップとを有する。アップリンクパケットは、ＯＴＴビデオに対するユーザ機器の要求情報を、ＯＴＴビデオを格納したビデオサーバに搬送し、ダウンリンクパケットは、要求情報に従うＯＴＴビデオをユーザ機器に搬送する。
2016509802.tif 000002
【特許請求の範囲】
【請求項１】
ビデオ品質のユーザ体験値を評価するための方法であって、
ＯＴＴビデオを視聴することを要求するためのユーザ機器のアップリンクパケットを取得するステップと、
前記アップリンクパケットに対応するダウンリンクパケットを取得するステップと、
前記ダウンリンクパケットをバッファするステップと、
前記バッファリングユニットによってバッファされた前記ダウンリンクパケットが分析条件を満たす場合、バッファされた前記ダウンリンクパケット中の前記ＯＴＴビデオを分析してユーザ体験値を生成するステップと
を有し、
前記アップリンクパケットは、前記ユーザ機器によって、前記ＯＴＴビデオを格納したビデオサーバに送信され、前記ＯＴＴビデオに対する前記ユーザ機器の要求情報を搬送し、
前記ダウンリンクパケットは、前記ビデオサーバによって前記ユーザ機器に送信され、前記ＯＴＴビデオを搬送し、
前記ＯＴＴビデオは、前記アップリンクパケット中の前記要求情報に従って前記ビデオサーバによって送信される、方法。
【請求項２】
前記アップリンクパケットに対応するダウンリンクパケットを取得する前記ステップよりも前に、かつＯＴＴビデオを視聴することを要求するためのユーザ機器のアップリンクパケットを取得する前記ステップよりも後に、
前記アップリンクパケットに従って前記ダウンリンクパケットを取得するか否かを判定するステップをさらに有する、請求項１に記載の方法。
【請求項３】
前記ダウンリンクパケットをバッファする前記ステップが、
前記ダウンリンクパケット中の前記ＯＴＴビデオのビデオ属性情報をバッファするステップを含み、
前記ビデオ属性情報は、前記ユーザ体験値を生成するために使用される、請求項１又は２に記載の方法。
【請求項４】
前記ユーザ体験値が、ビデオの平均オピニオン評点ＭＯＳ−Ｖ値である、請求項１ないし３のいずれか一項に記載の方法。
【請求項５】
ＯＴＴビデオを視聴することを要求するためのユーザ機器のアップリンクパケットを取得する前記ステップよりも前に、
ネットワーク管理システムＮＭＳによって送信される使用可能性命令を受信するステップをさらに有し、
前記使用可能性命令は、前記ＯＴＴビデオを視聴することを要求するための前記ユーザ機器の前記アップリンクパケットを取得するように命令するために使用される、請求項１ないし４のいずれか一項に記載の方法。
【請求項６】
ビデオ品質のユーザ体験値を評価するためのデバイスであって、
ＯＴＴビデオを視聴することを要求するためのユーザ機器のアップリンクパケットを取得するように構成されたユーザセッションユニットと、
前記ユーザセッションユニットによって取得された前記アップリンクパケットに対応するダウンリンクパケットを取得するように構成されたビデオセッションユニットと、
前記ビデオセッションユニットによって取得された前記ダウンリンクパケットをバッファするように構成されたバッファリングユニットと、
前記バッファリングユニットによってバッファされた前記ダウンリンクパケットが分析条件を満たす場合、バッファされた前記ダウンリンクパケット中の前記ＯＴＴビデオを分析してユーザ体験値を生成するように構成された体験評価ユニットと
を具備し、
前記アップリンクパケットは、前記ユーザ機器によって、前記ＯＴＴビデオを格納したビデオサーバに送信され、前記ＯＴＴビデオに対する前記ユーザ機器の要求情報を搬送し、
前記ダウンリンクパケットは、前記ビデオサーバによって前記ユーザ機器に送信され、前記ＯＴＴビデオを搬送し、
前記ＯＴＴビデオは、前記アップリンクパケット中の前記要求情報に従って前記ビデオサーバによって送信される、デバイス。
【請求項７】
前記ビデオセッションユニットが、前記ユーザセッションユニットによって取得された前記アップリンクパケットに従って前記ダウンリンクパケットを取得するか否かを判定するようにさらに構成される、請求項６に記載のデバイス。
【請求項８】
前記バッファリングユニットが、前記ビデオセッションユニットによって取得された前記ダウンリンクパケット中の前記ＯＴＴビデオのビデオ属性情報をバッファするようにさらに構成され、
前記ビデオ属性情報は、前記ユーザ体験値を生成するために使用される、請求項６又は７に記載のデバイス。
【請求項９】
前記ユーザセッションユニットが、ネットワーク管理システムＮＭＳによって送信される使用可能性命令を受信するようにさらに構成され、
前記使用可能性命令は、前記ＯＴＴビデオを視聴することを要求するための前記ユーザ機器の前記アップリンクパケットを取得するように命令するために使用される、請求項６ないし８のいずれか一項に記載のデバイス。
【請求項１０】
ビデオ品質のユーザ体験値を評価するためのシステムであって、
請求項６ないし９のいずれか一項に記載のデバイスと、
前記ＯＴＴビデオを格納した前記ビデオサーバに前記アップリンクパケットを送信するように構成され、かつ前記ビデオサーバによって送信される前記ダウンリンクパケットを受信するようにさらに構成された前記ユーザ機器と、
前記ＯＴＴビデオを格納するように構成され、かつ前記ユーザ機器によって送信される前記アップリンクパケットを受信し、前記ユーザ機器に前記ダウンリンクパケットを送信するようにさらに構成された前記ビデオサーバと
を具備し、
前記アップリンクパケットは、前記ＯＴＴビデオに対する前記ユーザ機器の要求情報を搬送し、
前記ダウンリンクパケットは、前記ＯＴＴビデオを搬送し、
前記ＯＴＴビデオは、前記アップリンクパケット中の前記要求情報に従って前記ビデオサーバによって送信される、システム。
【発明の詳細な説明】
【技術分野】
【０００１】
本発明は、通信の分野に関し、詳細には、ビデオ品質のユーザ体験値を評価するための方法、デバイス、及びシステムに関する。
【背景技術】
【０００２】
インターネット技術の発展とともに、現在のインターネット上で転送されるさらに多くのタイプのサービスが存在するようになり、インターネットビデオサービスが日増しにネットワークトラフィックの大部分を占めるようになっている。現在、ますます多くのユーザが、オーバーザトップ（Ｏｖｅｒ  Ｔｈｅ  Ｔｏｐ，ＯＴＴ）ビデオを視聴するために、携帯電話、コンピュータ、タブレットパーソナルコンピュータなどのデバイスを介してインターネットビデオウェブサイトにアクセスするようになっており、このことは、ＯＴＴビデオがインターネットトラフィックの主要な消費形態となることを加速させている。
【０００３】
現在のＯＴＴビデオベアラプロトコルは、ＨＴＴＰ（Ｈｙｐｅｒｔｅｘｔ  Ｔｒａｎｓｐｏｒｔ  Ｐｒｏｔｏｃｏｌ）／ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）などのプロトコルを主に使用しており、これらは、ユーザがビデオのダウンロードと同時にその視聴を開始できるよう、サイズの大きいビデオファイルをサイズの異なる複数のビデオに分割して、当該複数のビデオをユーザの使用する端末上に高速にダウンロードする。しかしながら、インターネットシステムには、混雑時に、リンク／エアインタフェース上でのリンク輻輳、パケットロスなどの不確定なパフォーマンス異常が存在し、したがって、ユーザは、ＯＴＴビデオを視聴する際、画像の提供開始の遅れ、（長時間にわたる停止及び頻繁な停止を含む）画像再生の一時停止、不鮮明な画像など、その品質について不快な体験をすることとなる。
【０００４】
ＯＴＴビデオに対する品質のユーザ体験が判定された場合に限り、品質のユーザ体験に対する最適化が可能となるが、ＯＴＴビデオベアラは伝統的なビデオとは異なっているので、品質のユーザ体験は、伝統的なＩＰＴＶ（Ｉｎｔｅｒｎｅｔ  Ｐｒｏｔｏｃｏｌ  ＴｅｌｅＶｉｓｉｏｎ）システムの時間遅延、パケットロス、ジッタなどのパフォーマンス指標に従って判定できない。ＯＴＴビデオを視聴する際、ユーザは、通常、ビデオの開始地点を前後にシフトさせる操作を実行しようとし、ユーザ機器によって受信済みのダウンリンクパケットの一部分を無効化する。このとき、ユーザ機器によって受信済みのすべてのダウンリンクパケットをなお使用してユーザ体験値が算出されると、そのようなユーザ体験値には、総合的かつ現実的な評価がなされないかもしれない。
【発明の概要】
【課題を解決するための手段】
【０００５】
本発明の実施態様は、ビデオ品質のユーザ体験値を評価するための方法、デバイス、及びシステムを提供し、これらは、ＯＴＴビデオ品質のユーザ体験値をより総合的に評価し、より現実的かつ正確なユーザ体験値を提供できる。
【０００６】
上記の目的を達成するために、本発明の実施態様は、以下の技術的解決策を用いる。
【０００７】
第１態様では、ビデオ品質のユーザ体験値を評価するための方法が提供され、方法は、
ＯＴＴビデオを視聴することを要求するためのユーザ機器のアップリンクパケットを取得するステップと、
アップリンクパケットに対応するダウンリンクパケットを取得するステップと、
ダウンリンクパケットをバッファするステップと、
バッファリングユニットによってバッファされたダウンリンクパケットが分析条件を満たす場合、バッファされたダウンリンクパケット中のＯＴＴビデオを分析してユーザ体験値を生成するステップとを有し、ここで、アップリンクパケットは、ユーザ機器によって、ＯＴＴビデオを格納したビデオサーバに送信され、ＯＴＴビデオに対するユーザ機器の要求情報を搬送し、ダウンリンクパケットは、ビデオサーバによってユーザ機器に送信され、ＯＴＴビデオを搬送し、かつＯＴＴビデオは、アップリンクパケット中の要求情報に従ってビデオサーバによって送信される。
【０００８】
第１態様の第１実施可能態様において、アップリンクパケットに対応するダウンリンクパケットを取得するステップよりも前に、かつＯＴＴビデオを視聴することを要求するためのユーザ機器のアップリンクパケットを取得するステップよりも後に、方法は、
アップリンクパケットに従ってダウンリンクパケットを取得するか否かを判定するステップをさらに有する。
【０００９】
第１態様又は第１態様の第１実施可能態様を引用する、第１態様の第２実施可能態様において、ダウンリンクパケットをバッファするステップは、
ダウンリンクパケット中のＯＴＴビデオのビデオ属性情報をバッファするステップを含み、ここで、ビデオ属性情報は、ユーザ体験値を生成するために使用される。
【００１０】
第１態様、第１態様の第１実施可能態様、又は第１態様の第２実施可能態様を引用する、第１態様の第３実施可能態様において、ユーザ体験値は、ビデオの平均オピニオン評点（ＭＯＳ−Ｖ）値である。
【００１１】
第１態様、第１態様の第１実施可能態様、第１態様の第２実施可能態様、又は第１態様の第３実施可能態様を引用する、第１態様の第４実施可能態様において、ＯＴＴビデオを視聴することを要求するためのユーザ機器のアップリンクパケットを取得するステップよりも前に、方法は、
ネットワーク管理システム（Ｎｅｔｗｏｒｋ  Ｍａｎａｇｅｍｅｎｔ  Ｓｙｓｔｅｍ，ＮＭＳ）によって送信される使用可能性命令を受信するステップをさらに有し、ここで、使用可能性命令は、ＯＴＴビデオを視聴することを要求するためのユーザ機器のアップリンクパケットを取得するように命令するために使用される。
【００１２】
第２態様では、ビデオ品質のユーザ体験値を評価するためのデバイスが提供され、評価デバイスは、
ＯＴＴビデオを視聴することを要求するためのユーザ機器のアップリンクパケットを取得するように構成されたユーザセッションユニットと、
ユーザセッションユニットによって取得されたアップリンクパケットに対応するダウンリンクパケットを取得するように構成されたビデオセッションユニットと、
ビデオセッションユニットによって取得されたダウンリンクパケットをバッファするように構成されたバッファリングユニットと、
バッファリングユニットによってバッファされたダウンリンクパケットが分析条件を満たす場合、バッファされたダウンリンクパケット中のＯＴＴビデオを分析してユーザ体験値を生成するように構成された体験評価ユニットとを具備し、ここで、アップリンクパケットは、ユーザ機器によって、ＯＴＴビデオを格納したビデオサーバに送信され、ＯＴＴビデオに対するユーザ機器の要求情報を搬送し、ダウンリンクパケットは、ビデオサーバによってユーザ機器に送信され、ＯＴＴビデオを搬送し、かつＯＴＴビデオは、アップリンクパケット中の要求情報に従ってビデオサーバによって送信される。
【００１３】
第２態様の第１実施可能態様において、ビデオセッションユニットは、ユーザセッションユニットによって取得されたアップリンクパケットに従ってダウンリンクパケットを取得するか否かを判定するようにさらに構成される。
【００１４】
第２態様又は第２態様の第１実施可能態様を引用する、第２態様の第２実施可能態様において、バッファリングユニットは、ビデオセッションユニットによって取得されたダウンリンクパケット中のＯＴＴビデオのビデオ属性情報をバッファするようにさらに構成され、ここで、ビデオ属性情報は、ユーザ体験値を生成するために使用される。
【００１５】
第２態様、第２態様の第１実施可能態様、又は第２態様の第２実施可能態様を引用する、第２態様の第３実施可能態様において、ユーザセッションユニットは、ネットワーク管理システム（ＮＭＳ）によって送信される使用可能性命令を受信するようにさらに構成され、ここで、使用可能性命令は、ＯＴＴビデオを視聴することを要求するためのユーザ機器のアップリンクパケットを取得するように命令するために使用される。
【００１６】
第３態様では、システムが提供され、システムは、
先に記載したような、ビデオ品質のユーザ体験値を評価するためのデバイスと、
ＯＴＴビデオを格納したビデオサーバにアップリンクパケットを送信するように構成され、かつビデオサーバによって送信されるダウンリンクパケットを受信するようにさらに構成されたユーザ機器と、
ＯＴＴビデオを格納するように構成され、かつユーザ機器によって送信されるアップリンクパケットを受信し、ユーザ機器にダウンリンクパケットを送信するようにさらに構成されたビデオサーバとを具備し、ここで、アップリンクパケットは、ＯＴＴビデオに対するユーザ機器の要求情報を搬送し、ダウンリンクパケットは、ＯＴＴビデオを搬送し、かつＯＴＴビデオは、アップリンクパケット中の要求情報に従ってビデオサーバによって送信される。
【００１７】
本発明の実施態様は、ビデオ品質のユーザ体験値を評価するための方法、デバイス、及びシステムを提供する。ビデオ品質のユーザ体験値を評価するためのデバイスは、ＯＴＴビデオを視聴することを要求するためのユーザ機器のアップリンクパケットを取得し、アップリンクパケットに対応するダウンリンクパケットを取得し、ダウンリンクパケットをバッファし、バッファされたダウンリンクパケットが分析条件を満たす場合、バッファされたダウンリンクパケット中のＯＴＴビデオを分析してユーザ体験値を生成する。ここで、アップリンクパケットは、ＯＴＴビデオに対するユーザ機器の要求情報を搬送し、かつダウンリンクパケットは、ＯＴＴビデオを搬送する。この場合、ビデオ品質のユーザ体験値を評価するためのデバイスは、アップリンクパケットに従って対応するダウンリンクパケットを取得し、妥当なダウンリンクパケットに従ってユーザ体験値を計算できることによって、妥当でないダウンリンクパケットがユーザ体験値の計算結果に影響を及ぼすことを回避し、したがって、取得されるユーザ体験値は、ダウンリンクデータの問題を反映できるだけでなく、ユーザのさまざまなコントロール挙動に起因して形成される体験値の増減をも反映でき、それにより、ユーザ体験をより現実的かつ総合的に反映する。
【００１８】
本発明の実施形態における技術的解決策又は従来技術をより明確に例示するために、本発明の実施形態又は従来技術の説明に使用される添付の図面について、以下で簡単に説明する。当然ながら、説明される図面は、本発明のいくつかの実施形態に過ぎない。当業者には、いかなる創造的労力もなしに、これらの図面に基づいて他の図面を得ることができよう。
【図面の簡単な説明】
【００１９】
【図１】本発明の一実施形態によるビデオ品質のユーザ体験値を評価するための概略的な流れ図である。
【図２】本発明の別の実施形態によるビデオ品質のユーザ体験値を評価するための概略的な流れ図である。
【図３】本発明の一実施形態によるビデオ品質のユーザ体験値を評価するためのデバイスの概略的な構成図である。
【図４】本発明の別の実施形態によるビデオ品質のユーザ体験値を評価するためのデバイスの概略的な構成図である。
【図５】本発明の一実施形態によるシステムの概略的な構成図である。
【図６】本発明の別の実施形態によるシステムの概略的な構成図である。
【発明を実施するための形態】
【００２０】
以下、本発明の実施形態の技術的解決策が、本発明の実施形態の添付の図面を参照して明瞭かつ十分に説明される。当然ながら、説明される実施形態は、本発明のすべての実施形態ではなく、本発明の実施形態の一部に過ぎない。当分野における通常の知識を有する者が本発明の実施形態に基づいていかなる創造的労力も無しに得る他のすべての実施形態は、本発明の保護範囲内にある。
【００２１】
図１に示されるように、本発明の一実施形態によるビデオ品質のユーザ体験値を評価するための方法は、以下のステップを有する。
【００２２】
ステップ１０１において、ビデオ品質のユーザ体験値を評価するためのデバイスは、ＯＴＴビデオを視聴することを要求するためのユーザ機器のアップリンクパケットを取得する。
【００２３】
アップリンクパケットは、ユーザ機器によって、ＯＴＴビデオを格納したビデオサーバに送信され、かつアップリンクパケットは、ＯＴＴビデオに対するユーザ機器の要求情報を搬送する、ということに留意されたい。ビデオ品質のユーザ体験値を評価するためのデバイスは、ビデオサーバに組み込まれていてよく、また、ビデオサーバとユーザ機器との間に別に提供されていてもよく、ビデオサーバとユーザ機器との間でリアルタイムにアップリンクパケット及びダウンリンクパケットを取得し、監視する。例えば、ビデオ品質のユーザ体験値を評価するためのデバイスは、ビデオサーバとユーザ機器との間に別に提供される場合に、ビデオサーバとユーザ機器との間のネットワーク中のルータに付設（side-hung）されてよく、ポートミラーリングによって、ＯＴＴビデオを視聴することを要求するためのユーザ機器のアップリンクパケットを取得してよい。例えば、ビデオ品質のユーザ体験値を評価するためのデバイスがビデオサーバに組み込まれている場合、ビデオサーバは、ユーザ機器によって送信されたアップリンクパケットを受信した後に、ビデオサーバとビデオ品質のユーザ体験値を評価するためのデバイスとの間の内部インタフェースを介して、ビデオ品質のユーザ体験値を評価するためのデバイスにアップリンクパケットを送信してよい。
【００２４】
例えば、ユーザ機器は、ＯＴＴビデオを受信可能な、インターネットテレビジョンインテグレータ又はセットトップボックス・プラス・テレビジョンであってよい。
【００２５】
例えば、アップリンクパケット中の要求情報は、ＯＴＴビデオに対してユーザ機器を介してユーザによって実行される、コントロール挙動メッセージ及び状態情報を含んでよく、ここで、コントロール挙動メッセージは、ＯＴＴビデオのコンテンツを取得したときにユーザ機器によって実行される、シフト、ポーズ、又はリプレイなどのコントロール挙動を含み、かつ状態情報は、ビデオがフルスクリーンで再生されるか否か、ビデオのＨＴＭＬ（ＨｙｐｅｒＴｅｘｔ  Ｍａｒｋｕｐ  Ｌａｎｇｕａｇｅ）ページＵＲＬ（Ｕｎｉｆｏｒｍ／Ｕｎｉｖｅｒｓａｌ  Ｒｅｓｏｕｒｃｅ  Ｌｏｃａｔｏｒ）等を含む。
【００２６】
また、例えば、アップリンクパケット中の要求情報は、ユーザ機器のＩＰアドレスなどのユーザ機器の情報を含んでよい。ビデオ品質のユーザ体験値を評価するためのデバイスは、ユーザ機器のＩＰアドレスなどのユーザ機器の情報を介して、アップリンクパケットが属するユーザ機器を識別してよい。また、別の例では、ビデオ品質のユーザ体験値を評価するためのデバイスは、アップリンクパケットによって使用される専用チャネルを介して、アップリンクパケットが属するユーザ機器を識別してもよい。ユーザ機器を識別することによって、あるユーザ機器が特定のユーザ機器であるか否かが判定され得る。
【００２７】
例えば、ビデオ品質のユーザ体験値を評価するためのデバイスは、すべてのユーザ機器によって送信されたアップリンクパケットをバッファしてよく、また、特定のユーザ機器によって送信されたアップリンクパケットだけをバッファしてもよい。
【００２８】
さらに、ビデオ品質のユーザ体験値を評価するためのデバイスは、ユーザ機器によって送信された応答メッセージを受信した後に、アップリンクパケットを取得することを停止してよく、ここで、応答メッセージは、ユーザ機器がＯＴＴビデオの視聴を完了した後に送信されてよく、かつ応答メッセージは、アップリンクパケットを取得することを停止するように命令するために使用される。
【００２９】
ステップ１０２において、ビデオ品質のユーザ体験値を評価するためのデバイスは、アップリンクパケットに対応するダウンリンクパケットを取得する。
【００３０】
ダウンリンクパケットは、ビデオサーバによってユーザ機器に送信され、ダウンリンクパケットは、ＯＴＴビデオを搬送し、かつＯＴＴビデオは、アップリンクパケット中の要求情報に従ってビデオサーバによって送信される、ということに留意されたい。例えば、第１アップリンクパケット要求情報は、５分４５秒目から開始するビデオＢのコンテンツを送信するように要求し、かつ第２アップリンクパケット要求情報は、１５分目から開始するビデオＢのコンテンツを送信するように要求する。ビデオ品質のユーザ体験値を評価するためのデバイスがダウンリンクパケットを取得する方法は、ビデオ品質のユーザ体験値を評価するためのデバイスが先のステップ１０１でアップリンクパケットを取得する方法と同一であってよい。ビデオ品質のユーザ体験値を評価するためのデバイスが先のステップ１０１でアップリンクパケットを取得する方法の参照が可能であるので、ここでは繰り返して説明しない。
【００３１】
また、さらに、アップリンクパケットを取得した後に、ビデオ品質のユーザ体験値を評価するためのデバイスは、アップリンクパケットに従ってダウンリンクパケットを取得するか否かを判定してよい。例えば、ビデオ品質のユーザ体験値を評価するためのデバイスは、アップリンクパケット中のユーザ機器の情報に従ってユーザ機器が特定のユーザ機器であるか否かを判定してよく、ユーザ機器が特定のユーザ機器である場合に、アップリンクパケットに対応するダウンリンクパケットを取得する。ここで、特定のユーザ機器は、ユーザ体験値の評価を注文するユーザ機器、又は高解像度の高品位ビデオサービスを注文するユーザ機器であってもよい。あるいは、ビデオ品質のユーザ体験値を評価するためのデバイスは、アップリンクパケット中のユーザ機器の情報に従ってユーザ機器が特定のユーザ機器であるか否かを判定した後に、アップリンクパケット中の要求情報によって要求されたＯＴＴビデオのＵＲＬに従ってダウンリンクパケットを取得するか否かを判定してもよく、ユーザ機器が特定のユーザ機器であり、かつアップリンクパケット中の要求情報によって要求されたＯＴＴビデオが特定のＯＴＴビデオである場合に、アップリンクパケットに対応するダウンリンクパケットを取得する。
【００３２】
この場合、月極めサービスを使用するか、又は、高品位サービス又はＶＩＰ（Ｖｅｒｙ  Ｉｍｐｏｒｔａｎｔ  Ｐｅｒｓｏｎ）ビデオサービスを注文するいくつかのユーザ機器に対して、又は、電話、ショートメッセージ、又はセッションウィンドウを介して悪い体験の感知をフィードバックするユーザ機器に対して、ダウンリンクパケットは、アップリンクパケットを介して取得されるように判定されてよく、それにより、より的を絞ってユーザ機器を評価し、ビデオ品質のユーザ体験値を評価するためのデバイスが大量のダウンロードパケットをやみくもに監視及び取得してそこからのＯＴＴビデオを分析するという現状を回避し、データ処理量を減少させ、かつビデオ品質のユーザ体験値を評価するためのデバイスの処理のパフォーマンスを向上させる。
【００３３】
ステップ１０３において、ビデオ品質のユーザ体験値を評価するためのデバイスは、ダウンリンクパケットをバッファする。
【００３４】
例えば、ビデオ品質のユーザ体験値を評価するためのデバイスは、第１アップリンクパケット、例えば、その要求情報が５分４５秒目から開始するビデオＢのコンテンツを送信するように要求する第１アップリンクパケットを取得した後に、それに応じて、第１アップリンクパケットに対応する１００個のダウンリンクパケットを取得して、それらをバッファする必要がある。しかしながら、ビデオ品質のユーザ体験値を評価するためのデバイスが３０個目のダウンリンクパケットを取得し、バッファしたときに、ユーザ機器は、視聴するＯＴＴビデオをシフトさせる。換言すれば、ユーザ機器は、第２アップリンクパケット、例えば、その要求情報が１５分目から開始するビデオＢのコンテンツを送信するように要求する第２アップリンクパケットをビデオサーバに送信する。１５分目から開始するビデオＢのコンテンツが１００個のダウンリンクパケットのうちの４０番目のダウンリンクパケットから１００番目のダウンリンクパケットであると仮定すると、ビデオサーバは、４０番目のダウンリンクパケットから開始して、ダウンリンクパケットをユーザ機器に送信する。このとき、ビデオ品質のユーザ体験値を評価するためのデバイスによって取得されるダウンリンクパケットもまた、４０番目のパケットから始まる。このとき、バッファされた最初の３０個のダウンリンクパケットは、第１アップリンクパケットに対応し、バッファされた４０番目から１００番目のダウンリンクパケットは、第２アップリンクパケットに対応する。
【００３５】
例えば、ビデオ品質のユーザ体験値を評価するためのデバイスは、ダウンリンクパケットをバッファできるが、ダウンリンクパケットをバッファするために占めるスペースは大きいものとなるので、ビデオ品質のユーザ体験値を評価するためのデバイスは、ダウンリンクパケット中のＯＴＴビデオのビデオ属性情報をバッファすることもでき、例えば、ビデオ品質のユーザ体験値を評価するためのデバイス中に１０ｋｂのデータを実際にバッファする代わりに、ダウンリンクパケット中のビデオデータサイズに対して１０ｋｂ、ビデオフレームレートに対して３０ｋｂ／ｓ等をバッファできる。したがって、バッファ負荷を削減し得、ビデオ品質のユーザ体験値を評価するためのデバイスのパフォーマンスが向上する。
【００３６】
ビデオ属性情報は、表１に示されるように、ユーザ体験値を生成するために使用可能な、ビデオファイル解像度と、ビデオ再生時間とを含んでいる。
【００３７】
【表１】
2016509802.tif 000003
【００３８】
ステップ１０４において、バッファされたダウンリンクパケットが分析条件を満たす場合、ビデオ品質のユーザ体験値を評価するためのデバイスは、バッファされたダウンリンクパケット中のＯＴＴビデオを分析してユーザ体験値を生成する。
【００３９】
ビデオ品質のユーザ体験値を評価するためのデバイスによってバッファされたダウンリンクパケットが分析され得る数だけ蓄積されているか、又は当該ダウンリンクパケットのデータ総量が所定のしきい値を超えている場合、当該ダウンリンクパケットに対する分析が実行されて、ユーザ体験値が生成されてよく、ここで、ユーザ体験値は、ビデオの平均オピニオン評点（Ｍｅａｎ  Ｏｐｉｎｉｏｎ  Ｓｃｏｒｅ−Ｖｉｄｅｏ，ＭＯＳ−Ｖ）値であってよい、ということに留意されたい。
【００４０】
先に記載した通り、ビデオ品質のユーザ体験値を評価するためのデバイスが１０個ずつダウンリンクパケットを取得し、分析が実行できる場合、第１アップリンクパケットが取得された後に、３０番目のダウンリンクパケットがバッファされ、かつ最初の２０個のアップリンクパケットが分析されたときに、第２アップリンクパケットが取得されると、このとき、ビデオ品質のユーザ体験値を評価するためのデバイスは、４０番目のダウンリンクパケットから１００番目のダウンリンクパケットのバッファを開始し、４０番目のダウンリンクパケットから分析を継続し、最終的に、ユーザ体験値は、分析された最初の２０個のダウンリンクパケットと、４０番目から１００番目のダウンリンクパケットとに従って生成できる、ということに留意されたい。バッファされた最初の３０個のダウンリンクパケット中の２１番目のダウンリンクパケットから３０番目のダウンリンクパケットは、妥当でないパケットとなり、ビデオ品質のユーザ体験値を評価するためのデバイスがユーザ体験値を生成する際に、これらの妥当でないダウンリンクパケットは分析されない。したがって、ユーザ体験値の計算コストが削減されるだけでなく、計算結果に対する妥当でないダウンリンクパケットに起因する影響が除去され、それにより、より正確なユーザ体験値が取得される。
【００４１】
上記の第２アップリンクパケットを取得して、第２アップリンクパケットに対応するダウンリンクパケットをバッファした後に、ビデオ品質のユーザ体験値を評価するためのデバイスは、バッファされた第１アップリンクパケットに対応するダウンリンクパケットを検出し、したがって、ビデオ品質のユーザ体験値を評価するためのデバイスのパケットに対するバッファ量が削減でき、バッファスペースが節約される、ということに留意されたい。
【００４２】
本発明の実施形態によって提供されるビデオ品質のユーザ体験値を評価するための方法においては、ビデオ品質のユーザ体験値を評価するためのデバイスは、ＯＴＴビデオを視聴することを要求するためのユーザ機器のアップリンクパケットを取得し、アップリンクパケットに対応するダウンリンクパケットを取得し、ダウンリンクパケットをバッファし、バッファされたダウンリンクパケットが分析条件を満たす場合、バッファされたダウンリンクパケット中のＯＴＴビデオを分析してユーザ体験値を生成する。ここで、アップリンクパケットは、ＯＴＴビデオに対するユーザ機器の要求情報を搬送し、かつダウンリンクパケットは、ＯＴＴビデオを搬送する。この場合、ビデオ品質のユーザ体験値を評価するためのデバイスは、アップリンクパケットに従って対応するダウンリンクパケットを取得し、妥当なダウンリンクパケットに対するユーザ体験値を計算できることによって、妥当でないダウンリンクパケットがユーザ体験値の計算結果に影響を及ぼすこと回避し、したがって、取得されたユーザ体験値は、ダウンリンクデータの問題を反映できるだけでなく、ユーザのさまざまなコントロール挙動に起因して形成される体験値の増減をも反映でき、それにより、ユーザ体験をより現実的かつ総合的に反映する。
【００４３】
本発明の別の実施形態は、ビデオ品質のユーザ体験値を評価するための方法を提供し、図２に示されるように、方法は、以下のステップを有する。
【００４４】
ステップ２０１において、ビデオ品質のユーザ体験値を評価するためのデバイスは、ＮＭＳによって送信される使用可能性命令を受信し、ここで、使用可能性命令は、ＯＴＴビデオを視聴することを要求するためのユーザ機器のアップリンクパケットを取得するように命令するために使用される。
【００４５】
また、例えば、ビデオ品質のユーザ体験値を評価するためのデバイスは、使用可能性命令を受信することに加えて、他の方法を介してアップリンクパケットを取得でき、例えば、ビデオ品質のユーザ体験値を評価するためのデバイスは、使用可能となった後にアップリンクパケットを取得し続ける。この実施形態は、アップリンクパケットが使用可能性命令に従って取得され始める例を用いて説明されるが、そのような例に限定されない。
【００４６】
ステップ２０２において、ビデオ品質のユーザ体験値を評価するためのデバイスは、ＯＴＴビデオを視聴することを要求するためのユーザ機器のアップリンクパケットを取得する。
【００４７】
ビデオ品質のユーザ体験値を評価するためのデバイスがどのようにしてアップリンクパケットを取得するかについては、図１に示されたような実施形態のステップ１０１の説明への参照がなされてよく、ここでは繰り返して説明しない。
【００４８】
ステップ２０３において、ビデオ品質のユーザ体験値を評価するためのデバイスは、アップリンクパケットに従ってダウンリンクパケットを取得するか否かを判定する。取得する必要がある場合、次いで、方法は、ステップ２０４に進み、そうでない場合、ステップ２０７に進む。
【００４９】
例えば、ビデオ品質のユーザ体験値を評価するためのデバイスは、アップリンクパケットに従って、ユーザ機器が特定のユーザ機器であるか否かを判定し、ユーザ機器が特定のユーザ機器である場合、方法は、ステップ２０４に進み、ユーザ機器が特定のユーザ機器に属さない場合、方法は、ステップ２０７に進む。あるいは、アップリンクパケットに従って、ユーザ機器が特定のユーザ機器であるか否かを判定した後に、ビデオ品質のユーザ体験値を評価するためのデバイスは、アップリンクパケットによって要求されるＯＴＴビデオが特定のＯＴＴビデオであるか否かを判定し、ＯＴＴビデオが特定のＯＴＴビデオである場合、方法は、ステップ２０４に進み、ＯＴＴビデオが特定のＯＴＴビデオに属さない場合、方法は、ステップ２０７に進む。
【００５０】
ステップ２０４において、ビデオ品質のユーザ体験値を評価するためのデバイスは、アップリンクパケットに対応するダウンリンクパケットを取得する。
【００５１】
ダウンリンクパケットは、ビデオサーバによってユーザ機器に送信され、ＯＴＴビデオを搬送する。ＯＴＴビデオは、アップリンクパケット中の要求情報に従って、ビデオサーバによって送信される。
【００５２】
ビデオ品質のユーザ体験値を評価するためのデバイスがどのようにしてダウンリンクパケットを取得するかについては、図１に示されたような実施形態のステップ１０２の説明への参照が可能であり、ここでは繰り返して説明しない。
【００５３】
ステップ２０５において、ビデオ品質のユーザ体験値を評価するためのデバイスは、ダウンリンクパケット中のＯＴＴビデオのビデオ属性情報をバッファし、ここで、ビデオ属性情報は、ユーザ体験値を生成するために使用される。
【００５４】
例えば、ビデオ属性情報は、上記の実施形態の表１に示されるような、特定の形式の表にバッファされてよく、また、バッファされたダウンリンクパケットの情報がより完全になるよう、例えば、ダウンリンクパケットが連続しているか否かを判定するためにＴＣＰシリアルナンバーが追加されるよう、図２に示されるような表においてより多くの内容が提供されてよい。
【００５５】
【表２】
2016509802.tif 000004
【００５６】
表１及び表２は、特定の表の形式に過ぎず、これらは、明細書中で例示のために使用され、表１及び表２の形式への限定はなされず、他の特定の表の形式も保護範囲に含まれる、ということに留意されたい。さらに、ビデオ属性情報は、上記の特定の表の形式を使用してバッファされる他に、他の記録形式もバッファのために使用されてよく、これに限定されない。
【００５７】
ステップ２０６において、バッファされたダウンリンクパケットが分析条件を満たす場合、ビデオ品質のユーザ体験値を評価するためのデバイスは、バッファされたダウンリンクパケットに対応するＯＴＴビデオを分析して、ユーザ体験値を生成する。
【００５８】
例えば、生成されるユーザ体験値は、ＭＯＳ−Ｖ値であってよい。ＭＯＳ−Ｖは、図３に示されるように、ビデオを視聴することの主観的な体験値を指し、ビデオを視聴することのユーザの主観的フィーリングは、生成されるＭＯＳ−Ｖ値を介して判定できる。
【００５９】
【表３】
2016509802.tif 000005
【００６０】
ステップ２０７において、ビデオ品質のユーザ体験値を評価するためのデバイスは、ダウンリンクパケットを取得しない。
【００６１】
例えば、ビデオ品質のユーザ体験値を評価するためのデバイスは、ポートミラーリングを停止して、ダウンリンクパケットを取得しないようにしてよい。
【００６２】
例えば、ビデオ品質のユーザ体験値を評価するためのデバイスがビデオサーバとユーザ機器との間のネットワーク中のルータに付設されている場合、ＯＴＴビデオを視聴するためにユーザ機器によって要求されるダウンリンクパケットは、ポートミラーリングを停止することによって取得できなくなる。例えば、ビデオ品質のユーザ体験値を評価するためのデバイスがビデオサーバに組み込まれている場合、ビデオサーバは、ビデオ品質のユーザ体験値を評価するためのデバイスにダウンリンクパケットを転送しないことによって、ビデオ品質のユーザ体験値を評価するためのデバイスにダウンリンクパケットを取得させなくしてよい。
【００６３】
本発明の実施形態によって提供されるビデオ品質のユーザ体験値を評価するための方法においては、ビデオ品質のユーザ体験値を評価するためのデバイスは、ＯＴＴビデオを視聴することを要求するためのユーザ機器のアップリンクパケットを取得し、アップリンクパケットに対応するダウンリンクパケットを取得し、ダウンリンクパケットをバッファし、バッファされたダウンリンクパケットが分析条件を満たす場合に、バッファされたダウンリンクパケット中のＯＴＴビデオを分析してユーザ体験値を生成する。ここで、アップリンクパケットは、ＯＴＴビデオに対するユーザ機器の要求情報を搬送し、かつダウンリンクパケットは、ＯＴＴビデオを搬送する。この場合、ビデオ品質のユーザ体験値を評価するためのデバイスは、アップリンクパケットに従って対応するダウンリンクパケットを取得し、妥当なダウンリンクパケットに対するユーザ体験値を計算できることによって、妥当でないダウンリンクパケットがユーザ体験値の計算結果に影響を及ぼすことを回避し、したがって、取得されるユーザ体験値は、ダウンリンクデータの問題を反映するだけでなく、ユーザのさまざまなコントロール挙動に起因して形成される体験値の増減をも反映でき、それにより、ユーザ体験をより現実的かつ総合的に反映する。
【００６４】
本発明によるビデオ品質のユーザ体験値を評価するためのデバイス３０は、図３に示されるように、
ＯＴＴビデオを視聴することを要求するためのユーザ機器のアップリンクパケットを取得するように構成されたユーザセッションユニット３０１を含み、ここで、アップリンクパケットは、ユーザ機器によって、ＯＴＴビデオを格納したビデオサーバに送信されて、ＯＴＴビデオに対するユーザ機器の要求情報を搬送する。
【００６５】
さらに、ユーザセッションユニット３０１によって取得されるアップリンクパケット中の要求情報は、制御情報、状態情報、及びユーザ機器の情報を含んでよい。
【００６６】
本発明によるビデオ品質のユーザ体験値を評価するためのデバイス３０は、
ユーザセッションユニット３０１によって取得されたアップリンクパケットに対応するダウンリンクパケットを取得するように構成されたビデオセッションユニット３０２をさらに含み、ここで、ダウンリンクパケットは、ビデオサーバによってユーザ機器に送信されて、ＯＴＴビデオを搬送し、かつＯＴＴビデオは、アップリンクパケット中の要求情報に従って、ビデオサーバによって送信される。
【００６７】
また、さらに、ビデオセッションユニット３０２は、ユーザセッションユニット３０１によって取得されたアップリンクパケットに従ってダウンリンクパケットを取得するか否かを判定してもよい。例えば、ユーザセッションユニット３０１によって取得されたアップリンクパケットに従って、ユーザ機器が特定のユーザ機器であるか否かが判定され、ユーザ機器が特定のユーザ機器である場合、ビデオセッションユニット３０２は、ユーザ機器に送信されるダウンリンクパケットを取得する。あるいは、ユーザセッションユニット３０１によって取得されたアップリンクパケットに従って、ユーザ機器が特定のユーザ機器であると判定した後に、次いで、アップリンクパケットによって要求されるＯＴＴビデオが特定のＯＴＴビデオであるか否かが判定され、ＯＴＴビデオが特定のＯＴＴビデオである場合、ビデオセッションユニット３０２は、ユーザ機器に送信されるダウンリンクパケットを取得する。
【００６８】
本発明によるビデオ品質のユーザ体験値を評価するためのデバイス３０は、
ビデオセッションユニット３０２によって取得されたダウンリンクパケットをバッファするように構成されたバッファリングユニット３０３をさらに含む。
【００６９】
さらに、バッファリングユニット３０３は、ビデオセッションユニット３０２によって取得されたダウンリンクパケット中のＯＴＴビデオのビデオ属性情報をバッファし、ここで、ビデオ属性情報は、ユーザ体験値を生成するように構成される。
【００７０】
本発明によるビデオ品質のユーザ体験値を評価するためのデバイス３０は、
バッファリングユニット３０３によってバッファされたダウンリンクパケットが分析条件を満たす場合、バッファされたダウンリンクパケットに対応するＯＴＴビデオを分析して、ユーザ体験値を生成するように構成された体験評価ユニット３０４をさらに含む。
【００７１】
例示的に、体験評価ユニット３０４は、バッファリングユニット３０３によってバッファされたダウンリンクパケット又はビデオ属性情報に従って、ビデオの平均オピニオン評点の評価を実行して、ＭＯＳ−Ｖ値を生成してよい。
【００７２】
また、さらに、ユーザセッションユニット３０１は、ＯＴＴビデオを視聴することを要求するためのユーザ機器のアップリンクパケットを取得するよりも前に、ＮＭＳによって送信される使用可能性命令を受信してもよく、ここで、使用可能性命令は、ＯＴＴビデオを視聴することを要求するためのユーザ機器のアップリンクパケットを取得し続けるように命令するために使用される。
【００７３】
ビデオ品質のユーザ体験値を評価するためのデバイス３０は、上記の実施形態によって提供される方法を使用して動作してよく、その動作方法は、当該実施形態によって提供される方法のものと同一であり、ここでは繰返して説明しない。
【００７４】
本発明の実施形態は、ビデオ品質のユーザ体験値を評価するためのデバイス３０を提供し、ビデオ品質のユーザ体験値を評価するためのデバイス３０は、ＯＴＴビデオを視聴することを要求するためのユーザ機器のアップリンクパケットを取得し、アップリンクパケットに対応するダウンリンクパケットを取得し、ダウンリンクパケットをバッファし、バッファされたダウンリンクパケットが分析条件を満たす場合、バッファされたダウンリンクパケット中のＯＴＴビデオを分析してユーザ体験値を生成する。ここで、アップリンクパケットは、ＯＴＴビデオに対するユーザ機器の要求情報を搬送し、かつダウンリンクパケットは、ＯＴＴビデオを搬送する。この場合、ビデオ品質のユーザ体験値を評価するためのデバイス３０は、アップリンクパケットに従って対応するダウンリンクパケットを取得し、妥当なダウンリンクパケットに対するユーザ体験値を計算できることによって、妥当でないダウンリンクパケットがユーザ体験値の計算結果に影響を及ぼすことを回避し、したがって、取得されるユーザ体験値は、ダウンリンクデータの問題を反映するだけでなく、ユーザのさまざまなコントロール挙動に起因して形成される体験値の増減をも反映でき、それにより、ユーザ体験をより現実的かつ総合的に反映する。
【００７５】
本発明によるビデオ品質のユーザ体験値を評価するためのデバイス４０は、図４に示されるように、受信機４０１と、メモリ４０２と、プロセッサ４０３とを含む。
【００７６】
受信機４０１は、ユーザ機器とＯＴＴビデオを格納したビデオサーバとの間で送信される、アップリンクパケットと、該アップリンクパケットに対応するダウンリンクパケットとを取得し、バッファするために、取得したダウンリンクパケットをメモリ４０２に送信するように構成されてよい。アップリンクパケットは、ＯＴＴビデオに対するユーザ機器の要求情報を搬送し、ダウンリンクパケットは、ＯＴＴビデオを搬送し、かつＯＴＴビデオは、アップリンクパケット中の要求情報に従って、ビデオサーバによってユーザ機器に送信される。受信機４０１は、無線通信又は有線通信を介して送信されるアップリンクパケット及びダウンリンクパケットを取得してよく、無線通信は、これらに限定されないが、ＧＳＭ（登録商標）（Ｇｌｏｂａｌ  Ｓｙｓｔｅｍ  ｏｆ  Ｍｏｂｉｌｅ  Ｃｏｍｍｕｎｉｃａｔｉｏｎ）、ＧＰＲＳ（Ｇｌｏｂａｌ  Ｐａｃｋｅｔ  Ｒａｄｉｏ  Ｓｅｒｖｉｃｅ）、ＣＤＭＡ（Ｃｏｄｅ  Ｄｉｖｉｓｉｏｎ  Ｍｕｌｔｉｐｌｅ  Ａｃｃｅｓｓ）、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、電子メール、ＳＭＳ（Ｓｈｏｒｔ  Ｍｅｓｓａｇｉｎｇ  Ｓｅｒｖｉｃｅ）等を含む任意の通信規格又はプロトコルを使用してよい。
【００７７】
メモリ４０２は、受信機４０１を介して取得されたダウンリンクパケットをバッファするように構成されてよい。
【００７８】
プロセッサ４０３は、ビデオ品質のユーザ体験値を評価するためのデバイス４０の分析処理センターであり、メモリ４０２にバッファされたＯＴＴビデオを分析することによってユーザ体験値を生成する。例えば、ＭＯＳ−Ｖ値が生成される。
【００７９】
さらに、メモリ４０２は、受信機４０１を介して取得されたダウンリンクパケットのＯＴＴビデオのビデオ属性情報をバッファするように構成されてよく、プロセッサ４０３は、メモリ４０２にバッファされたダウンリンクパケットのビデオ属性情報を分析してユーザ体験値を生成する。
【００８０】
また、さらに、受信機４０１は、ＯＴＴビデオを視聴することを要求するためのユーザ機器のアップリンクパケットを取得するよりも前に、ＮＭＳによって送信される使用可能性命令を受信し、次いで、アップリンクパケットに対応するダウンリンクパケットを取得してもよく、ここで、使用可能性命令は、ＯＴＴビデオを視聴することを要求するためのユーザ機器のアップリンクパケットを取得し続けるように命令するために使用される。
【００８１】
ビデオ品質のユーザ体験値を評価するためのデバイス４０は、上記の実施形態によって提供される方法を使用して動作してよく、その動作方法は、当該実施形態によって提供される方法のものと同一であり、ここでは繰返して説明しない。
【００８２】
本発明の実施形態は、ビデオ品質のユーザ体験値を評価するためのデバイス４０を提供し、ビデオ品質のユーザ体験値を評価するためのデバイス４０は、ＯＴＴビデオを視聴することを要求するためのユーザ機器のアップリンクパケットを取得し、アップリンクパケットに対応するダウンリンクパケットを取得し、ダウンリンクパケットをバッファし、バッファされたダウンリンクパケットが分析条件を満たす場合、バッファされたダウンリンクパケット中のＯＴＴビデオを分析してユーザ体験値を生成する。ここで、アップリンクパケットは、ＯＴＴビデオに対するユーザ機器の要求情報を搬送し、かつダウンリンクパケットは、ＯＴＴビデオを搬送する。この場合、ビデオ品質のユーザ体験値を評価するためのデバイス４０は、アップリンクパケットに従って対応するダウンリンクパケットを取得し、妥当なダウンリンクパケットに対するユーザ体験値を計算できることによって、妥当でないダウンリンクパケットがユーザ体験値の計算結果に影響を及ぼすことを回避し、したがって、取得されるユーザ体験値は、ダウンリンクデータの問題を反映するだけでなく、ユーザのさまざまなコントロール挙動に起因して形成される体験値の増減をも反映でき、それにより、ユーザ体験をより現実的かつ総合的に反映する。
【００８３】
本発明は、図５及び図６に示されるようなシステムを提供し、システムは、以下の構成要素を含む。
【００８４】
図５に示されるビデオ品質のユーザ体験値を評価するためのデバイス３０は、ビデオサーバ６０とユーザ機器５０との間に別に提供されており、図６に示されるビデオ品質のユーザ体験値を評価するためのデバイス３０は、ビデオサーバ６０に組み込まれている、ということに留意されたい。
【００８５】
システムは、
上記の実施形態で提供されるビデオ品質のユーザ体験値を評価するためのデバイス３０と、
ＯＴＴビデオを格納したビデオサーバ６０にアップリンクパケットを送信するように構成され、かつビデオサーバによって送信されるダウンリンクパケットを受信するようにさらに構成されるユーザ機器５０と、
ＯＴＴビデオを格納するように構成され、かつユーザ機器５０によって送信されるアップリンクパケットを受信し、ユーザ機器５０にダウンリンクパケットを送信するようにさらに構成されたビデオサーバ６０とを含み、ここで、アップリンクパケットは、ＯＴＴビデオに対するユーザ機器の要求情報を搬送し、ダウンリンクパケットは、ＯＴＴビデオを搬送し、かつＯＴＴビデオは、アップリンクパケット中の要求情報に従ってビデオサーバ６０によって送信される、
【００８６】
ビデオ品質のユーザ体験値を評価するためのデバイス３０は、上記の方法の実施形態に対応し、かつビデオ品質のユーザ体験値を評価するためのデバイス３０は、上記の方法の実施形態のステップで使用でき、特定のステップにおける応用に対して、上記の方法の実施形態への参照がなされ得る、ということに留意されたい。ビデオ品質のユーザ体験値を評価するためのデバイス３０及び上記の実施形態において提供されるビデオ品質のユーザ体験値を評価するためのデバイス３０の特定の構成については、ここでは繰り返して説明しない。
【００８７】
本発明の実施形態によって提供されるシステムにおいて、ビデオ品質のユーザ体験値を評価するためのデバイス３０は、ＯＴＴビデオを視聴することを要求するためのユーザ機器５０のアップリンクパケットを取得し、アップリンクパケットに対応するダウンリンクパケットを取得し、ダウンリンクパケットをバッファし、バッファされたダウンリンクパケットが分析条件を満たす場合、バッファされたダウンリンクパケット中のＯＴＴビデオを分析してユーザ体験値を生成する。ここで、アップリンクパケットは、ＯＴＴビデオに対するユーザ機器５０の要求情報を搬送し、かつダウンリンクパケットは、ＯＴＴビデオを搬送する。この場合、ビデオ品質のユーザ体験値を評価するためのデバイス３０は、アップリンクパケットに従って対応するダウンリンクパケットを取得し、妥当なダウンリンクパケットに従ってユーザ体験値を算出できることによって、妥当でないダウンリンクパケットがユーザ体験値の計算結果に影響を及ぼすことを回避し、したがって、取得されるユーザ体験値は、ダウンリンクデータの問題を反映できるだけでなく、ユーザのさまざまなコントロール挙動に起因して形成される体験値の増減をも反映でき、それにより、ユーザ体験をより現実的かつ総合的に反映する。
【００８８】
当分野における通常の知識を有する者には、上記の方法の実施形態のステップのすべて又は一部分が、適切なハードウェアに命令するプログラムによって実施可能であることが理解できよう。上記のプログラムは、コンピュータ読み取り可能な記録媒体に格納されてよい。プログラムの実行時、上記の方法の実施形態のステップが実行される。上記の記録媒体は、ＲＯＭ、ＲＡＭ、磁気ディスク、又は光学ディスクなど、プログラムコードを格納可能なさまざまな媒体を含む。
【００８９】
以上に記載したものは本発明の実施形態に過ぎず、本発明の保護範囲はそれらに限定されない。本発明として開示された技術的範囲内で当業者によって容易に想到され得る任意の修正例又は置換例は、本発明の保護範囲内にある。したがって、本発明の保護範囲は、添付の特許請求の範囲の保護範囲によって定まる。
【符号の説明】
【００９０】
３０  ビデオ品質のユーザ体験値を評価するためのデバイス
３０１  ユーザセッションユニット
３０２  ビデオセッションユニット
３０３  バッファリングユニット
３０４  体験評価ユニット
４０  ビデオ品質のユーザ体験値を評価するためのデバイス
４０１  受信機
４０２  メモリ
４０３  プロセッサ
５０  ユーザ機器
６０  ビデオサーバ
【図１】
2016509802.tif 000006
【図２】
2016509802.tif 000007
【図３】
2016509802.tif 000008
【図４】
2016509802.tif 000009
【図５】
2016509802.tif 000010
【図６】
2016509802.tif 000011
【手続補正書】
【提出日】平成27年9月2日(2015.9.2)
【手続補正１】
【補正対象書類名】明細書
【補正対象項目名】００１８
【補正方法】変更
【補正の内容】
【００１８】
本発明の実施形態における技術的解決策をより明確に例示するために、本発明の実施形態の説明に使用される添付の図面について、以下で簡単に説明する。当然ながら、説明される図面は、本発明のいくつかの実施形態に過ぎない。当業者には、いかなる創造的労力もなしに、これらの図面に基づいて他の図面を得ることができよう。
【手続補正２】
【補正対象書類名】特許請求の範囲
【補正対象項目名】全文
【補正方法】変更
【補正の内容】
【特許請求の範囲】
【請求項１】
ビデオ品質のユーザ体験値を評価するための方法であって、
オーバーザトップ（ＯＴＴ）ビデオを視聴することを要求するためのユーザ機器のアップリンクパケットを取得するステップと、
前記アップリンクパケットに対応するダウンリンクパケットを取得するステップと、
前記ダウンリンクパケットをバッファするステップと、
バッファされた前記ダウンリンクパケットが分析条件を満たす場合、バッファされた前記ダウンリンクパケット中の前記ＯＴＴビデオを分析してユーザ体験値を生成するステップと
を有し、
前記アップリンクパケットは、前記ユーザ機器によって、前記ＯＴＴビデオを格納したビデオサーバに送信され、前記ＯＴＴビデオに対する前記ユーザ機器の要求情報を搬送し、
前記ダウンリンクパケットは、前記ビデオサーバによって前記ユーザ機器に送信され、前記ＯＴＴビデオを搬送し、
前記ＯＴＴビデオは、前記アップリンクパケット中の前記要求情報に従って前記ビデオサーバによって送信される、方法。
【請求項２】
前記アップリンクパケットに対応するダウンリンクパケットを取得する前記ステップよりも前に、かつＯＴＴビデオを視聴することを要求するためのユーザ機器のアップリンクパケットを取得する前記ステップよりも後に、
前記アップリンクパケットに従って前記ダウンリンクパケットを取得するか否かを判定するステップをさらに有する、請求項１に記載の方法。
【請求項３】
前記ダウンリンクパケットをバッファする前記ステップが、
前記ダウンリンクパケット中の前記ＯＴＴビデオのビデオ属性情報をバッファするステップを含み、
前記ビデオ属性情報は、前記ユーザ体験値を生成するために使用される、請求項１又は２に記載の方法。
【請求項４】
前記ユーザ体験値が、ビデオの平均オピニオン評点（ＭＯＳ−Ｖ）値である、請求項１ないし３のいずれか一項に記載の方法。
【請求項５】
ＯＴＴビデオを視聴することを要求するためのユーザ機器のアップリンクパケットを取得する前記ステップよりも前に、
ネットワーク管理システム（ＮＭＳ）によって送信される使用可能性命令を受信するステップをさらに有し、
前記使用可能性命令は、前記ＯＴＴビデオを視聴することを要求するための前記ユーザ機器の前記アップリンクパケットを取得するように命令するために使用される、請求項１ないし４のいずれか一項に記載の方法。
【請求項６】
ビデオ品質のユーザ体験値を評価するためのデバイスであって、
オーバーザトップ（ＯＴＴ）ビデオを視聴することを要求するためのユーザ機器のアップリンクパケットを取得するように構成されたユーザセッションユニットと、
前記ユーザセッションユニットによって取得された前記アップリンクパケットに対応するダウンリンクパケットを取得するように構成されたビデオセッションユニットと、
前記ビデオセッションユニットによって取得された前記ダウンリンクパケットをバッファするように構成されたバッファリングユニットと、
前記バッファリングユニットによってバッファされた前記ダウンリンクパケットが分析条件を満たす場合、バッファされた前記ダウンリンクパケット中の前記ＯＴＴビデオを分析してユーザ体験値を生成するように構成された体験評価ユニットと
を具備し、
前記アップリンクパケットは、前記ユーザ機器によって、前記ＯＴＴビデオを格納したビデオサーバに送信され、前記ＯＴＴビデオに対する前記ユーザ機器の要求情報を搬送し、
前記ダウンリンクパケットは、前記ビデオサーバによって前記ユーザ機器に送信され、前記ＯＴＴビデオを搬送し、
前記ＯＴＴビデオは、前記アップリンクパケット中の前記要求情報に従って前記ビデオサーバによって送信される、デバイス。
【請求項７】
前記ビデオセッションユニットが、前記ユーザセッションユニットによって取得された前記アップリンクパケットに従って前記ダウンリンクパケットを取得するか否かを判定するようにさらに構成される、請求項６に記載のデバイス。
【請求項８】
前記バッファリングユニットが、前記ビデオセッションユニットによって取得された前記ダウンリンクパケット中の前記ＯＴＴビデオのビデオ属性情報をバッファするようにさらに構成され、
前記ビデオ属性情報は、前記ユーザ体験値を生成するために使用される、請求項６又は７に記載のデバイス。
【請求項９】
前記ユーザセッションユニットが、ネットワーク管理システム（ＮＭＳ）によって送信される使用可能性命令を受信するようにさらに構成され、
前記使用可能性命令は、前記ＯＴＴビデオを視聴することを要求するための前記ユーザ機器の前記アップリンクパケットを取得するように命令するために使用される、請求項６ないし８のいずれか一項に記載のデバイス。
【請求項１０】
ビデオ品質のユーザ体験値を評価するためのシステムであって、
請求項６ないし９のいずれか一項に記載のデバイスと、
前記ＯＴＴビデオを格納した前記ビデオサーバに前記アップリンクパケットを送信するように構成され、かつ前記ビデオサーバによって送信される前記ダウンリンクパケットを受信するようにさらに構成された前記ユーザ機器と、
前記ＯＴＴビデオを格納するように構成され、かつ前記ユーザ機器によって送信される前記アップリンクパケットを受信し、前記ユーザ機器に前記ダウンリンクパケットを送信するようにさらに構成された前記ビデオサーバと
を具備し、
前記アップリンクパケットは、前記ＯＴＴビデオに対する前記ユーザ機器の要求情報を搬送し、
前記ダウンリンクパケットは、前記ＯＴＴビデオを搬送し、
前記ＯＴＴビデオは、前記アップリンクパケット中の前記要求情報に従って前記ビデオサーバによって送信される、システム。
【国際調査報告】
2016509802.tif 000012
2016509802.tif 000013
2016509802.tif 000014
2016509802.tif 000015